(57)【特許請求の範囲】
【請求項１】
基地局によってマルチソース多入力多出力通信を適用するための方法であって、
前記基地局において、受信したブロック肯定応答フレームに基づいて支援する基地局のための変調およびコーディング方式を判断することと、
ワイヤレス通信デバイスに送るためのデータを取得することと、
前記支援する基地局に前記データの第２の部分を送ることと、
前記支援する基地局に前記ワイヤレス通信デバイスの識別子を含む指示フレームを送ることと、
前記支援する基地局に前記判断された変調およびコーディング方式を示す情報を送ることと、
空間ストリームの第１のセット上で前記データの第１の部分を送ることと
を備える、方法。
【請求項２】
前記指示フレームが、送られるべきデータの識別子を備える、請求項１に記載の方法。
【請求項３】
前記指示フレームが、保留マルチソース多入力多出力通信の持続時間を指定する、請求項１に記載の方法。
【請求項４】
前記データの前記第２の部分と前記指示フレームとが、ワイヤードリンクを介して前記支援する基地局に送られる、請求項１に記載の方法。
【請求項５】
前記データの前記第２の部分と前記指示フレームとが、電力線リンクを介して前記支援する基地局に送られる、請求項１に記載の方法。
【請求項６】
前記データの前記第２の部分の全部または一部を送ることを求める要求を送ることをさらに備える、請求項１に記載の方法。
【請求項７】
前記指示フレームが、ユニキャストフレームとブロードキャストフレームとからなるグループから選択される、請求項１に記載の方法。
【請求項８】
支援する基地局によってマルチソース多入力多出力通信を適用するための方法であって、
前記支援する基地局において、受信したブロック肯定応答フレームに基づいて変調およびコーディング方式を判断することと、
マルチソース多入力多出力通信の一部であるデータの第２の部分を受信することと、
ワイヤレス通信デバイスの識別子を備える指示フレームを受信することと、
空間ストリームの第２のセット上で前記データの前記第２の部分の全部または一部を送ることと
を備える、方法。
【請求項９】
前記指示フレームが、送られるべきデータの識別子を備える、請求項８に記載の方法。
【請求項１０】
前記指示フレームが、保留マルチソース多入力多出力通信の持続時間を指定する、請求項８に記載の方法。
【請求項１１】
前記データの前記第２の部分と前記指示フレームとが、ワイヤードリンクを介して受信される、請求項８に記載の方法。
【請求項１２】
前記データの前記第２の部分と前記指示フレームとが、電力線リンクを介して受信される、請求項８に記載の方法。
【請求項１３】
前記データの前記第２の部分の全部または一部を送ることを求める要求を受信することをさらに備える、請求項８に記載の方法。
【請求項１４】
マルチソース多入力多出力通信を適用するための基地局であって、
前記基地局において、受信したブロック肯定応答フレームに基づいて支援する基地局のための変調およびコーディング方式を判断することと、ワイヤレス通信デバイスに送るためのデータを取得することと、前記支援する基地局に前記データの第２の部分を送ることと、前記支援する基地局に前記ワイヤレス通信デバイスの識別子を備える指示フレームを送ることと、前記支援する基地局に前記判断された変調およびコーディング方式を示す情報を送ることと、空間ストリームの第１のセット上で前記データの第１の部分を送ることとを行うマルチソース多入力多出力通信回路
を備える、基地局。
【請求項１５】
前記指示フレームが、送られるべきデータの識別子を備える、請求項１４に記載の基地局。
【請求項１６】
前記指示フレームが、保留マルチソース多入力多出力通信の持続時間を指定する、請求項１４に記載の基地局。
【請求項１７】
前記データの前記第２の部分と前記指示フレームとが、ワイヤードリンクを介して前記支援する基地局に送られる、請求項１４に記載の基地局。
【請求項１８】
前記データの前記第２の部分と前記指示フレームとが、電力線リンクを介して前記支援する基地局に送られる、請求項１４に記載の基地局。
【請求項１９】
前記マルチソース多入力多出力通信回路が、前記データの前記第２の部分の全部または一部を送ることを求める要求を送る、請求項１４に記載の基地局。
【請求項２０】
前記指示フレームが、ユニキャストフレームとブロードキャストフレームとからなるグループから選択される、請求項１４に記載の基地局。
【請求項２１】
マルチソース多入力多出力通信を適用するための支援する基地局であって、
前記支援する基地局において、受信したブロック肯定応答フレームに基づいて変調およびコーディング方式を判断することと、マルチソース多入力多出力通信の一部であるデータの第２の部分を受信することと、ワイヤレス通信デバイスの識別子を備える指示フレームを受信することと、空間ストリームの第２のセット上で前記データの前記第２の部分の全部または一部を送ることとを行うマルチソース多入力多出力通信回路
を備える、支援する基地局。
【請求項２２】
前記指示フレームが、送られるべきデータの識別子を備える、請求項２１に記載の支援する基地局。
【請求項２３】
前記指示フレームが、保留マルチソース多入力多出力通信の持続時間を指定する、請求項２１に記載の支援する基地局。
【請求項２４】
前記データの前記少なくとも一部分と前記指示フレームとが、ワイヤードリンクを介して受信される、請求項２１に記載の支援する基地局。
【請求項２５】
前記データの前記第２の部分と前記指示フレームとが、電力線リンクを介して受信される、請求項２１に記載の支援する基地局。
【請求項２６】
前記マルチソース多入力多出力通信回路が、前記データの前記第２の部分の全部または一部を送ることを求める要求を受信する、請求項２１に記載の支援する基地局。
【請求項２７】
マルチソース多入力多出力通信を適用するための装置であって、
基地局において、受信したブロック肯定応答フレームに基づいて支援する基地局のための変調およびコーディング方式を判断するための手段と、
ワイヤレス通信デバイスに送るためのデータを取得するための手段と、
前記支援する基地局に前記データの第２の部分を送るための手段と、
前記支援する基地局に前記ワイヤレス通信デバイスの識別子を備える指示フレームを送るための手段と、
前記支援する基地局に前記判断された変調およびコーディング方式を示す情報を送るための手段と、
空間ストリームの第１のセット上で前記データの第１の部分を送るための手段と
を備える、装置。
【請求項２８】
前記指示フレームが、保留マルチソース多入力多出力通信の持続時間を指定する、請求項２７に記載の装置。
【請求項２９】
前記データの前記第２の部分の全部または一部を送ることを求める要求を送るための手段をさらに備える、請求項２７に記載の装置。
【請求項３０】
前記指示フレームが、ユニキャストフレームとブロードキャストフレームとからなるグループから選択される、請求項２７に記載の装置。
【請求項３１】
マルチソース多入力多出力通信を適用するための装置であって、
支援する基地局において、受信したブロック肯定応答フレームに基づいて変調およびコーディング方式を判断するための手段と、
マルチソース多入力多出力通信の一部であるデータの第２の部分を受信するための手段と、
ワイヤレス通信デバイスの識別子を備える指示フレームを受信するための手段と、
空間ストリームの第２のセット上で前記データの前記第２の部分の全部または一部を送るための手段と
を備える、装置。
【請求項３２】
前記指示フレームが、保留マルチソース多入力多出力通信の持続時間を指定する、請求項３１に記載の装置。
【請求項３３】
前記データの前記第２の部分の全部または一部を送ることを求める要求を受信するための手段をさらに備える、請求項３１に記載の装置。
【請求項３４】
前記データの前記第２の部分は、空間ストリームの第２のセットを介して前記支援する基地局によって送られる、請求項１に記載の方法。
【請求項３５】
前記データの前記第１の部分および前記データの前記第２の部分は、同じデータを含む、請求項３４に記載の方法。
【請求項３６】
前記データの前記第１の部分および前記データの前記第２の部分は、異なるデータを含む、請求項３４に記載の方法。
【請求項３７】
前記データの前記第１の部分は、マルチソース多入力多出力通信の一部である、請求項１に記載の方法。
【請求項３８】
前記支援する基地局のための前記変調およびコーディング方式は、空間ストリームの前記第１のセットのために使用される変調およびコーディング方式とは異なる、請求項１に記載の方法。
【請求項３９】
前記受信されたブロック肯定応答フレームは、前記支援する基地局によって送られるメディアアクセス制御プロトコルデータユニットに対応するシーケンス番号を有する、請求項１に記載の方法。
【請求項４０】
前記支援する基地局のための前記変調およびコーディング方式を判断することは、前記支援する基地局から受信される予期される変調およびコーディング方式にさらに基づく、請求項１に記載の方法。
【請求項４１】
前記データの前記第２の部分は、メディアアクセス制御ヘッダおよび暗号を含む作成されたメディアアクセスプロトコルデータユニットを備える、請求項１に記載の方法。
【請求項４２】
命令を有する非一時的有形コンピュータ可読媒体を備える、マルチソース多入力多出力通信を適用するためのコンピュータプログラム製品であって、前記命令が、
基地局に、受信したブロック肯定応答フレームに基づいて支援する基地局のための変調およびコーディング方式を判断させるためのコードと、
前記基地局に、ワイヤレス通信デバイスに送るためのデータを取得させるためのコードと、
前記基地局に、前記支援する基地局に前記データの第２の部分を送らせるためのコードと、
前記基地局に、前記支援する基地局に前記ワイヤレス通信デバイスの識別子を含む指示フレームを送らせるためのコードと、
前記基地局に、前記支援する基地局に前記判断された変調およびコーディング方式を示す情報を送らせるためのコードと、
前記基地局に、空間ストリームの第１のセット上で前記データの第１の部分を送らせるためのコードと
を備える、コンピュータプログラム製品。
【請求項４３】
前記命令が、前記基地局に、前記データの前記第２の部分の全部または一部を送ることを求める要求を送らせるためのコードをさらに備える、請求項４２に記載のコンピュータプログラム製品。
【請求項４４】
前記指示フレームが、ユニキャストフレームとブロードキャストフレームとからなるグループから選択される、請求項４２に記載のコンピュータプログラム製品。
【請求項４５】
命令を有する非一時的有形コンピュータ可読媒体を備える、マルチソース多入力多出力通信を適用するためのコンピュータプログラム製品であって、前記命令が、
支援する基地局に、受信したブロック肯定応答フレームに基づいて変調およびコーディング方式を判断させるためのコードと、
前記支援する基地局に、マルチソース多入力多出力通信の一部であるデータの第２の部分を受信させるためのコードと、
前記支援する基地局に、ワイヤレス通信デバイスの識別子を備える指示フレームを受信させるためのコードと、
前記支援する基地局に、空間ストリームの第２のセット上で前記データの前記第２の部分の全部または一部を送らせるためのコードと
を備える、コンピュータプログラム製品。
【請求項４６】
前記指示フレームが、保留マルチソース多入力多出力通信の持続時間を指定する、請求項４５に記載のコンピュータプログラム製品。
【請求項４７】
前記命令が、前記支援する基地局に、前記データの前記第２の部分の全部または一部を送ることを求める要求を受信させるためのコードをさらに備える、請求項４５に記載のコンピュータプログラム製品。
【発明の詳細な説明】
【技術分野】
【０００１】
関連出願
[0001]本出願は、その全体が参照により本明細書に組み込まれる、２０１２年２月２３日に出願された「ＤＥＶＩＣＥＳ  ＦＯＲ  ＭＵＬＴＩ−ＳＯＵＲＣＥ  ＭＵＬＴＩＰＬＥ−ＩＮＰＵＴ  ＭＵＬＴＩＰＬＥ−ＯＵＴＰＵＴ  ＣＯＭＭＵＮＩＣＡＴＩＯＮＳ」と題する米国仮特許出願第６１／６０２，２６８号に関し、その優先権を主張する。
【０００２】
[0002]本開示は、一般に電子通信に関する。より詳細には、本開示は、マルチソース多入力多出力通信を適用するためのシステムおよび方法に関する。
【背景技術】
【０００３】
[0003]通信システムは、データ、音声、ビデオなど、様々なタイプの通信コンテンツを提供するために広く展開されている。これらの通信システムは、複数の通信デバイス（たとえば、基地局、ワイヤレス通信デバイス、アクセスポイント、アクセス端末など）の間の同時通信をサポートすることが可能であり得る。
【０００４】
[0004]通信デバイスの使用は、過去数年にわたって劇的に増加した。たとえば、セルラーフォン、スマートフォン、ラップトップコンピュータ、タブレットデバイスおよび他の通信デバイスが社会で一般的になった。これらの通信デバイスはしばしば、ネットワークへのアクセスを行う。これにより、ユーザは、たとえば、電話呼を発信するか、電子メールを受信するか、またはインターネットをブラウズすることが可能になり得る。
【０００５】
[0005]通信デバイスの使用が増加したので、通信デバイスのカバレージエリア、速度および品質の改善が求められている。たとえば、いくつかのエリアにおけるより弱い信号、より遅い速度および／またはカバレージの欠如がワイヤレス通信システムにおける現在の課題である。この説明からわかるように、カバレージエリア、速度および／または品質を改善するシステムおよび方法が有益であり得る。
【発明の概要】
【０００６】
[0006]基地局によってマルチソース多入力多出力通信を適用するための方法について説明する。本方法は、ワイヤレス通信デバイスに送信するためのデータを取得することを含む。本方法はまた、支援する基地局にデータの第２の部分を送ることを含む。本方法は、支援する基地局（ａｓｓｉｓｔｉｎｇ  ｂａｓｅ  ｓｔａｔｉｏｎ）にワイヤレス通信デバイスの識別子を含む指示フレームを送ることをさらに含む。本方法は、空間ストリームの第１のセット上でデータの第１の部分を送信することをさらに含む。
【０００７】
[0007]指示フレームは、送信されるべきデータの識別子を含み得る。指示フレームは、保留マルチソース多入力多出力送信の持続時間を指定し得る。本方法は、支援する基地局のための変調およびコーディング方式を判断することを含み得る。データの第２の部分と指示フレームとは、ワイヤードリンクを介して支援する基地局に送られ得る。データの第２の部分と指示フレームとは、電力線リンクを介して支援する基地局に送られ得る。本方法は、データの第２の部分の全部または一部を送信することを求める要求を送ることを含み得る。インジケータフレームは、ユニキャストフレームとブロードキャストフレームとからなるグループから選択され得る。
【０００８】
[0008]基地局によってマルチソース多入力多出力通信を適用するための別の方法について説明する。本方法は、マルチソース多入力多出力送信の一部であるデータの第２の部分を受信することを含む。本方法はまた、ワイヤレス通信デバイスの識別子を含む指示フレームを受信することを含む。本方法は、空間ストリームの第２のセット上でデータの第２の部分の全部または一部を送信することをさらに含む。
【０００９】
[0009]指示フレームは、送信されるべきデータの識別子を含み得る。指示フレームは、保留マルチソース多入力多出力送信の持続時間を指定し得る。本方法は、変調およびコーディング方式を判断することを含み得る。データの第２の部分と指示フレームとは、ワイヤードリンクを介して受信され得る。データの第２の部分と指示フレームとは、電力線リンクを介して受信され得る。本方法は、データの第２の部分の全部または一部を送信することを求める要求を受信することを含み得る。
【００１０】
[0010]マルチソース多入力多出力通信を適用するための基地局について説明する。基地局は、ワイヤレス通信デバイスに送信するためのデータを取得するマルチソース多入力多出力通信回路を含む。マルチソース多入力多出力通信回路はまた、支援する基地局にデータの第２の部分を送る。マルチソース多入力多出力通信回路はまた、支援する基地局にワイヤレス通信デバイスの識別子を含む指示フレームを送る。マルチソース多入力多出力通信回路は、さらに、空間ストリームの第１のセット上でデータの第１の部分を送信する。
【００１１】
[0011]マルチソース多入力多出力通信を適用するための別の基地局について説明する。基地局は、マルチソース多入力多出力送信の一部であるデータの第２の部分を受信するマルチソース多入力多出力通信回路を含む。マルチソース多入力多出力通信回路はまた、ワイヤレス通信デバイスの識別子を含む指示フレームを受信する。マルチソース多入力多出力通信回路は、さらに、空間ストリームの第２のセット上でデータの第２の部分の全部または一部を送信する。
【００１２】
[0012]マルチソース多入力多出力通信を適用するためのコンピュータプログラム製品について説明する。コンピュータプログラム製品は、基地局に、ワイヤレス通信デバイスに送信するためのデータを取得させるためのコードを含む命令を有する非一時的有形コンピュータ可読媒体を含む。命令はまた、基地局に、支援する基地局にデータの第２の部分を送らせるためのコードを含む。命令はまた、基地局に、支援する基地局にワイヤレス通信デバイスの識別子を含む指示フレームを送らせるためのコードを含む。命令は、基地局に、空間ストリームの第１のセット上でデータの第１の部分を送信させるためのコードをさらに含む。
【００１３】
[0013]マルチソース多入力多出力通信を適用するための別のコンピュータプログラム製品。コンピュータプログラム製品は、基地局に、マルチソース多入力多出力送信の一部であるデータの第２の部分を受信させるためのコードを含む命令を有する非一時的有形コンピュータ可読媒体を含む。命令はまた、基地局に、ワイヤレス通信デバイスの識別子を含む指示フレームを受信させるためのコードを含む。命令は、基地局に、空間ストリームの第２のセット上でデータの第２の部分の全部または一部を送信させるためのコードをさらに含む。
【００１４】
[0014]マルチソース多入力多出力通信を適用するための装置について説明する。本装置は、ワイヤレス通信デバイスに送信するためのデータを取得するための手段を含む。本装置はまた、支援する基地局にデータの第２の部分を送るための手段を含む。本装置はまた、支援する基地局にワイヤレス通信デバイスの識別子を含む指示フレームを送るための手段を含む。本装置は、空間ストリームの第１のセット上でデータの第１の部分を送信するための手段をさらに含む。
【００１５】
[0015]マルチソース多入力多出力通信を適用するための別の装置について説明する。本装置は、マルチソース多入力多出力送信の一部であるデータの第２の部分を受信するための手段を含む。本装置はまた、ワイヤレス通信デバイスの識別子を含む指示フレームを受信するための手段を含む。本装置は、空間ストリームの第２のセット上でデータの第２の部分の全部または一部を送信するための手段をさらに含む。
【図面の簡単な説明】
【００１６】
【図１】[0016]マルチソース多入力多出力（ＭＩＭＯ）通信を適用するためのシステムおよび方法が実装され得る基地局とワイヤレス通信デバイスとの一構成を示すブロック図。
【図２】[0017]マルチソースＭＩＭＯ通信を適用するためのシステムおよび方法が実装され得る基地局の一構成を示すブロック図。
【図３】[0018]マルチソースＭＩＭＯ通信を適用するためのシステムおよび方法が実装され得る支援する基地局の一構成を示すブロック図。
【図４】[0019]マルチソースＭＩＭＯ通信を適用するための方法の一構成を示す流れ図。
【図５】[0020]マルチソースＭＩＭＯ通信を適用するための方法の別の構成を示す流れ図。
【図６】[0021]マルチソースＭＩＭＯ通信を適用するためのシステムおよび方法が実装され得る基地局のより具体的な構成を示すブロック図。
【図７】[0022]マルチソースＭＩＭＯ通信を適用するためのシステムおよび方法が実装され得る支援する基地局のより具体的な構成を示すブロック図。
【図８】[0023]マルチソースＭＩＭＯ通信を適用するための方法のより具体的な構成を示す流れ図。
【図９】[0024]マルチソースＭＩＭＯ通信を適用するための方法の別のより具体的な構成を示す流れ図。
【図１０】[0025]マルチソースＭＩＭＯ通信のアプリケーションによって達成され得る潜在的なスループット利得の一例を示す図。
【図１１】[0026]ＭＩＭＯ通信のコンテキストにおける通信タイミングの一例を示す図。
【図１２】[0027]マルチソースＭＩＭＯ通信を適用するためのシステムおよび方法が実装され得るアクセスポイントと局との一例を示す図。
【図１３】[0028]ＭＩＭＯシステムにおける送信機および受信機のブロック図。
【図１４】[0029]基地局内に含まれ得るいくつかの構成要素を示す図。
【図１５】[0030]ワイヤレス通信デバイス内に含まれ得るいくつかの構成要素を示す図。
【発明を実施するための形態】
【００１７】
[0031]いくつかのタイプの通信デバイスはネットワークへのアクセスを行う。これらの通信デバイスの例としては、基地局、ノード、アクセスポイント、ワイヤレスゲートウェイおよびワイヤレスルータがある。ネットワークの例としては、限定はしないが、電話網（たとえば、公衆交換電話網（ＰＳＴＮ）などの「固定（land-line）」ネットワークまたはセルラーフォンネットワーク）、インターネット、ローカルエリアネットワーク（ＬＡＮ）、ワイドエリアネットワーク（ＷＡＮ）、メトロポリタンエリアネットワーク（ＭＡＮ）などがある。「基地局」という用語は、一般に、ネットワークにアクセスを行う通信デバイスを指すために本明細書で使用され得る。「セル」という用語は、その用語が使用されるコンテキストに応じて、基地局および／またはそれのカバレージエリアを指すことができる。基地局は、セルまたはセクタカバレージエリア内にある１つまたは複数のワイヤレス通信デバイスと通信し得ることに留意されたい。たとえば、セルまたはセクタは、基地局によってサービスされる地理的エリアである。単一の基地局は、通信のために１つまたは複数のセルまたはセクタを与え得る。たとえば、基地局は、ワイヤレス通信デバイスとの通信のために３つのセクタを与え得る。本明細書で使用する「セル」という用語は、セルおよび／またはセクタを指すために使用され得る。
【００１８】
[0032]「基地局」の例としては、セルラー電話基地局、アクセスポイント、ワイヤレスゲートウェイ、ワイヤレスルータ、ホットスポットデバイスなどがある。いくつかの実装形態では、基地局は、ワイヤードリンクを使用してネットワークと通信し得、ワイヤレスリンクを使用してワイヤレス通信デバイスと通信し得る。
【００１９】
[0033]いくつかのタイプの通信デバイスは、１つまたは複数のデバイスとワイヤレス通信する。これらの「ワイヤレス通信デバイス」の例としては、アクセス端末、クライアント、クライアントデバイス、クライアント局、モバイルデバイス、移動局、モバイル端末、端末、ユーザ端末、加入者ユニット、加入者局、ユーザ機器、遠隔局、セルラーフォン、スマートフォン、タブレットデバイス、デスクトップコンピュータ、ラップトップコンピュータ、ゲームシステム（たとえば、モバイルまたはそれ以外）、携帯情報端末、ワイヤレスカード、ワイヤレスモデム、ハンドヘルドデバイス、ラップトップコンピュータ、セッション開始プロトコルフォン、ワイヤレスローカルループ（ＷＬＬ局）電子リーダーなどがある。いくつかの構成では、ワイヤレス通信デバイスは、ネットワークにアクセスするために基地局と通信し得る。
【００２０】
[0034]いくつかの通信デバイス（たとえば、基地局および／またはワイヤレス通信デバイス）は、米国電気電子技術者協会（ＩＥＥＥ）８０２．１１ａ、８０２．１１ｂ、８０２．１１ｇ、８０２．１１ｎ、８０２．１１ｚおよび／または８０２．１１ａｃ（たとえば、ワイヤレスフィデリティーまたは「Ｗｉ−Ｆｉ（登録商標）」）規格など、いくつかの業界規格に従って動作するか、またはそれに従って動作することが予期され得る。通信デバイスが準拠し得る規格の他の例としては、ＩＥＥＥ８０２．１６（たとえば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓまたは「ＷｉＭＡＸ（登録商標）」）、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）などがある（たとえば、基地局は、ノードＢ、発展型ノードＢ（ｅＮＢ）などと呼ばれることがあり、ワイヤレス通信デバイスは、ユーザ機器（ＵＥ）と呼ばれることがある）。本明細書で開示されるシステムおよび方法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）などに関係する技術およびその関連規格など、他の技術にも適用可能であることに留意されたい。したがって、通信デバイスは、（たとえば、アクセス端末、ユーザ機器（ＵＥ）、リモート端末、アクセスポイント、基地局、ノードＢ、発展型ノードＢ（ｅＮＢ）などとして）業界規格に応じて異なる名称で表され得る。本明細書で開示されるシステムおよび方法のいくつかは１つまたは複数の標準に関して説明され得るが、これは、それらのシステムおよび方法が多くのシステムおよび／または標準に適用可能であり得るので、本開示の範囲を限定すべきではない。
【００２１】
[0035]本明細書で開示されるシステムおよび方法は、マルチソースＭＩＭＯを可能にし得る。本明細書で使用され得るいくつかの頭文字は、アクセスポイント（ＡＰ）、基本サービスセット（ＢＳＳ：Basic Service Set）、メディアアクセス制御（ＭＡＣ）、局（ＳＴＡ）、トンネルドダイレクトリンクセットアップ（ＴＤＬＳ：Tunneled Direct Link Setup）、Ｗｉ−Ｆｉ  Ａｌｌｉａｎｃｅ（ＷＦＡ）、ワイヤレスフィデリティー（Ｗｉ−Ｆｉ）、多入力多出力（ＭＩＭＯ）、電力線通信（ＰＬＣ：Powerline Communications）、マルチソース（ＭＳ：Multi-Source）、マルチソースＭＩＭＯ（ＭＳ−ＭＩＭＯ：Multi-Source MIMO）、変調およびコーディング方式（ＭＣＳ：Modulation and Coding Scheme）、信号対雑音比（ＳＮＲ：Signal-to-Noise Ratio）、ＭＡＣプロトコルデータユニット（ＭＰＤＵ：MAC Protocol Data Unit）およびブロック肯定応答（ＢＡ：Block Acknowledgement）のように与えられる。
【００２２】
[0036]ワイヤレス通信デバイスが、２つの基地局（たとえば、アクセスポイント）の中間に各基地局への距離が最大になるまで移動するとき、ワイヤレス通信デバイス（たとえば、クライアント局デバイス）へのスループットは落ち込み得る（たとえば、低減され得る）。本明細書で開示されるシステムおよび方法は、スループットの落込みを低減させる手法を提供する。
【００２３】
[0037]本明細書では「装置」という用語は、基地局、ワイヤレス通信デバイスおよび／または他のデバイスを指すために使用され得ることに留意されたい。また、「通信システム」が、基地局、ワイヤレス通信デバイスおよび／または（１つまたは複数の）他のデバイスのうちの１つまたは複数を含み得ることに留意されたい。
【００２４】
[0038]また、本明細書では「同時」という用語およびその変形は、２つ以上のイベントが時間的にある程度まで互いに重複し得ることを示すために使用され得ることに留意されたい。ただし、「同時」イベントは、同時に開始および／または終了することもそうしないこともある。
【００２５】
[0039]次に、図を参照しながら様々な構成について説明する。同様の参照番号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００２６】
[0040]図１は、マルチソースＭＩＭＯ通信を適用するためのシステムおよび方法が実装され得る基地局１１０ａ〜ｂとワイヤレス通信デバイス１０２との一構成を示すブロック図である。複数の基地局１１０ａ〜ｂは、ワイヤレス通信デバイス１０２と通信し得る（たとえば、それに信号を送り得る）。たとえば、基地局１１０ａ〜ｂは、ワイヤレスネットワークを介してワイヤレス通信デバイス１０２と通信し得る。たとえば、基地局１１０ａは、１つまたは複数のアンテナ１０８ａ〜ｍを含み得、空間ストリームの第１のセット１０６ａ上でワイヤレス通信デバイス１０２に信号を送り得る。本明細書で使用する「空間ストリームのセット」という句は１つまたは複数の空間ストリームを示す。たとえば、空間ストリームの第１のセット１０６ａは２つの空間ストリームを含み得る。
【００２７】
[0041]本明細書で開示されるシステムおよび方法の一例は、次のように与えられる。２つの基地局１１０ａ〜ｂ（たとえば、アクセスポイント）の間のスループットの落込みを低減させるために、基地局１１０ａ〜ｂの各々は、空間ストリームの異なるセット１０６ａ〜ｂ上でワイヤレス通信デバイス１０２（たとえば、局）にデータを送り得る１つまたは複数のアンテナ１０８ａ〜ｍ、１０８ｎ〜ｚを含み得る（その結果、たとえば、開ループＭＩＭＯを生じる）。たとえば、基地局１１０ａと支援する基地局１１０ｂとの間に位置する、４つのアンテナ１０４ａ〜ｎをもつワイヤレス通信デバイス１０２（たとえば、局）は、基地局１１０ａから２つの空間ストリーム１０６ａを受信し、支援する基地局１１０ｂから２つの空間ストリーム１０６ｂを受信し得る。空間ストリームの第１のセット１０６ａは空間ストリームの第２のセット１０６ｂとは異なる。一緒に、２つの基地局１１０ａ〜ｂは、ワイヤレス通信デバイス１０２に２倍の電力量を送ることが可能であり得、３デシベル（ｄＢ）の利得を生じ得る。さらに、空間ストリーム１０６ａ〜ｂが２つの異なる方向から来るので、追加のダイバーシティ利得があり得る。したがって、ワイヤレス通信デバイス１０２への実効データレートははるかに高くなり得る。
【００２８】
[0042]空間ストリームの第１のセット１０６ａはデータの第１の部分を搬送し得、空間ストリームの第２のセット１０６ｂはデータの第２の部分を搬送し得る。データの第２の部分は、データの第１の部分と同じであり得、他のデータに加えてデータの第１の部分を含み得、データの第１の部分のサブセットを含み得、他のデータに加えてデータの第１の部分のサブセットを含み得（たとえば、データの第１の部分と重複し得）、またはデータの第１の部分中に含まれないデータのみを含み得る。概して、データの第１の部分は、データの第２の部分と同じであるか、またはそれとは異なり得る。データの第１の部分は、マルチソースＭＩＭＯ送信の一部であり得、データの第２の部分はまた、マルチソースＭＩＭＯ送信の一部であり得る。たとえば、マルチソースＭＩＭＯ送信は、複数のソース（たとえば、基地局）から別個の空間ストリーム上で送信されたデータの部分を含み得る（たとえば、ＭＩＭＯ送信の少なくとも一部は１つの基地局によって送られ、少なくとも１つの他の一部は別の基地局から送られる）。マルチソースＭＩＭＯ通信（たとえば、送信）は２つ以上のデバイス（たとえば、基地局）によって行われ得ることに留意されたい。
【００２９】
[0043]データを分割するための１つの手法は、ワイヤレス通信デバイス１０２（たとえば、局）が現在関連付けられている基地局１１０ａ（たとえば、アクセスポイント）が、ワイヤレス通信デバイス１０２に送信するために、支援する基地局１１０ｂ（たとえば、アクセスポイント）にパケットデータを送ることである。いくつかの構成では、支援する基地局１１０ｂに送られるパケットデータは、作成されたメディアアクセスプロトコルデータユニット（ＭＰＤＵ：media access protocol data unit）を含み得る（たとえば、メディアアクセス制御（ＭＡＣ）ヘッダおよび暗号を備え得る）。このようにして、支援する基地局１１０ｂは、単に、基地局１１０ａによって要求されたときにパケットデータを送り得る。基地局１１０ａが送信機会（ＴＸＯＰ：transmission opportunity）を取得すると、基地局１１０ａは、データが送信されることになるワイヤレス通信デバイス１０２の識別子を含む指示フレーム（たとえば、短フレーム）を支援する基地局１１０ｂに送り得る。いくつかの構成または事例では、指示フレームは、さらに、どのデータを送信すべきかについての識別子を含み得る。以下で詳細に説明するように、指示フレームはまた、他の指示要素（たとえば、データ識別子、保留送信の持続時間など）を含み得る。指示フレームは、ユニキャストフレームまたはブロードキャストフレームであり得る。いくつかの構成では、指示フレームは、保留マルチソースＭＩＭＯ送信の持続時間を含み、および／または指定し得る。
【００３０】
[0044]ワイヤレス通信デバイス１０２は、複数のアンテナ１０４ａ〜ｎを使用して複数の基地局１１０ａ〜ｂから空間ストリーム１０６ａ〜ｂ上で信号を受信し得る。たとえば、ワイヤレス通信デバイス１０２は、ワイヤレス通信デバイスマルチソースＭＩＭＯ通信ブロック／モジュール１１２ｃを含み得る。本明細書で使用する「ブロック／モジュール」という句は、特定の構成要素がハードウェア、ソフトウェアまたは両方の組合せで実装され得ることを示す。たとえば、ワイヤレス通信デバイスマルチソースＭＩＭＯ通信ブロック／モジュール１１２ｃは、回路などのハードウェア構成要素、および／あるいは命令またはコードなどのソフトウェア構成要素などを用いて実装され得る。
【００３１】
[0045]ワイヤレス通信デバイスマルチソースＭＩＭＯ通信ブロック／モジュール１１２ｃにより、ワイヤレス通信デバイス１０２は、基地局１１０ａ〜ｂとワイヤレス通信デバイス１０２との間の通信を協調させるために、空間ストリーム１０６ａ〜ｂを介して基地局１１０ａ〜ｂと通信することが可能になり得る。たとえば、ワイヤレス通信デバイスマルチソースＭＩＭＯ通信ブロック／モジュール１１２ｃにより、ワイヤレス通信デバイス１０２は、基地局１１０ａからデータの第１の部分を受信することが可能になり得る。同様に、ワイヤレス通信デバイスマルチソースＭＩＭＯ通信ブロック／モジュール１１２ｃにより、ワイヤレス通信デバイス１０２は、支援する基地局１１０ｂからデータの第２の部分を受信することが可能になり得る。上記で説明したように、データの第２の部分は、データの第１の部分と同じであるか、またはそれとは異なり得る。データの第１の部分とデータの第２の部分とが同じデータを含むとき、ワイヤレス通信デバイスマルチソースＭＩＭＯ通信ブロック／モジュール１１２ｃは、データをより確実に受信するために空間ダイバーシティを利用し得る。追加または代替として、データの第１の部分とデータの第２の部分とが異なるデータを含むとき、ワイヤレス通信デバイスマルチソースＭＩＭＯ通信ブロック／モジュール１１２ｃは、受信されるデータの量を増加させるために複数の空間ストリーム１０６ａ〜ｂを利用し得る。場合によっては、ワイヤレス通信デバイスマルチソースＭＩＭＯ通信ブロック／モジュール１１２ｃは、データの第１の部分と第２の部分とを組み合わせ得る。
【００３２】
[0046]基地局１１０ａ〜ｂは、リンク１１４を介して互いに通信し得る。リンク１１４はワイヤードまたはワイヤレスリンクであり得る。リンク１１４の一例は、電力線リンク（たとえば、電力線通信（ＰＬＣ）に基づく電力線リンク１１４）である。たとえば、基地局１１０ａと支援する基地局１１０ｂとは、電力送信のためにも使用されるワイヤード接続を介して互いに通信し得る。いくつかの実装形態では、基地局１１０ａと支援する基地局１１０ｂとは、ローカルエリアネットワーク中に含まれ得る。たとえば、基地局１１０ａと支援する基地局１１０ｂとは、ローカルエリアネットワークを含む単一の建築物中にあり得る。
【００３３】
[0047]基地局１１０ａ〜ｂの各々は、マルチソースＭＩＭＯ通信ブロック／モジュール１１２ａ〜ｂを含み得る。たとえば、基地局１１０ａは、マルチソースＭＩＭＯ通信ブロック／モジュールＡ  １１２ａを含み得、支援する基地局１１０ｂは、マルチソースＭＩＭＯ通信ブロック／モジュールＢ  １１２ｂを含み得る。マルチソースＭＩＭＯ通信ブロック／モジュール１１２ａ〜ｂにより、基地局１１０ａ〜ｂは、複数の空間ストリーム１０６ａ〜ｂ上での基地局１１０ａ〜ｂとワイヤレス通信デバイス１０２との間の通信を協調させるために、リンク１１４を介して１つまたは複数の他の基地局１１０ａ〜ｂと通信することが可能になり得る。
【００３４】
[0048]一例では、ワイヤレス通信デバイス１０２は、基地局１１０ａに現在関連付けられ得る。（たとえば、マルチソースＭＩＭＯ通信ブロック／モジュールＡ  １１２ａを介して）基地局１１０ａは、ワイヤレス通信デバイス１０２に送信するために支援する基地局１１０ｂにリンク１１４を介してデータの第２の部分を送り得る。この実装形態では、基地局１１０ａは、ワイヤレス通信デバイス１０２にデータの第２の部分を送信するために、支援する基地局１１０ｂに要求を送り得る。さらに、基地局１１０ａは、リンク１１４を介して支援する基地局１１０ｂに指示フレームを送り得る。いくつかの構成では、指示フレームは、ワイヤレス通信デバイス１０２を識別し得、どのデータを送信すべきかを識別し得、および／または、保留マルチソースＭＩＭＯ送信の持続時間を示し得る。いくつかの構成では、どのデータを送信すべきかを識別することは、データがマルチソースＭＩＭＯ送信を介して送信されるべきであることを示すビット（または他の識別子）をデータに追加することを含み得る。保留マルチソースＭＩＭＯ送信の持続時間を示すことは、マルチソースＭＩＭＯ送信が行われ得るフレームの数を示すことを含み得る。別の例では、指示フレームは、保留マルチソースＭＩＭＯ送信がいつ完了されるべきかを示す終了フレームを含めることによって、保留マルチソースＭＩＭＯ送信の持続時間を示し得る。いくつかの構成では、指示フレームは１つまたは複数のＭＰＤＵシーケンス番号を含み得る。たとえば、基地局１１０ａは、１つまたは複数のＭＰＤＵシーケンス番号に基づいて送られるべきデータを示し得る。たとえば、基地局１１０ａは、指示フレーム中に１つまたは複数のＭＰＤＵシーケンス番号を含み得る。１つまたは複数のＭＰＤＵシーケンス番号は、支援する基地局１１０ｂによって送信されるべきデータを示し得る。指示フレームは、ユニキャストフレームまたはブロードキャストフレームであり得る。以下で詳細に説明するように、基地局１１０ａは、ワイヤレス通信デバイス１０２にデータを送信するために特定のＭＣＳを適用するように、支援する基地局１１０ｂに指示し得る。
【００３５】
[0049]図２は、マルチソースＭＩＭＯ通信を適用するためのシステムおよび方法が実装され得る基地局２１０ａの一構成を示すブロック図である。基地局２１０ａは、図１に関して説明した基地局１１０ａの一例であり得る。基地局２１０ａは、図１に関して説明した対応する要素の例であり得るマルチソースＭＩＭＯ通信ブロック／モジュールＡ  ２１２ａおよび／あるいは１つまたは複数のアンテナ２０８ａ〜ｍを含み得る。
【００３６】
[0050]いくつかの実装形態では、マルチソースＭＩＭＯ通信ブロック／モジュールＡ  ２１２ａは、識別子２１４と指示フレーム生成器２１６とを含み得る。識別子は、データの少なくとも一部分を受信すべきワイヤレス通信デバイス１０２を識別し得る。識別子２１４の例としては、限定はしないが、局識別子、ワイヤレス通信デバイス１０２の名前、メディアアクセス制御アドレス、インターネットプロトコルアドレスおよびロケーションがある。
【００３７】
[0051]指示フレーム生成器２１６は、ワイヤレス通信デバイス１０２の識別子２１４を含む指示フレームを生成し得る。いくつかの実装形態では、（たとえば、指示フレーム生成器２１６を介して）ワイヤレス通信デバイス１０２は、特定の支援する基地局１１０ｂに特に送られ得る指示フレームを生成し得る。言い換えれば、指示フレームはユニキャストフレームであり得る。たとえば、指示フレームは、単一の支援する基地局１１０ｂにアドレス指定され得る。代替的に、ワイヤレス通信デバイス１０２は、ブロードキャストフレームである指示フレームを生成し得る。たとえば、指示フレームは、１つまたは複数のリンク１１４上のいずれかのおよびすべての他のノード（たとえば、基地局）にアドレス指定され得る。
【００３８】
[0052]いくつかの実装形態では、基地局２１０ａは、基地局２１０ａが１つまたは複数の他のデバイスと通信することを可能にする通信ブロック／モジュール２１８を含み得る。たとえば、通信ブロック／モジュール２１８は、１つまたは複数の送信機／受信機、変調器／復調器、エンコーダ／デコーダなどを含み得る。いくつかの構成では、通信ブロック／モジュール２１８は、ワイヤードおよびワイヤレス通信を行い得る。通信ブロック／モジュール２１８は、マルチソースＭＩＭＯ通信ブロック／モジュールＡ  ２１２ａに結合され得る。通信ブロック／モジュール２１８により、基地局２１０ａは、ワイヤレス通信デバイス１０２に信号を送信し、および／またはそれから信号を受信する（たとえば、それにデータの第１の部分を送信し、それから１つまたは複数のブロック肯定応答フレームを受信する）ことが可能になり得る。同様に、通信ブロック／モジュール２１８により、基地局２１０ａは、１つまたは複数の支援する基地局１１０ｂとの間でデータを送信／受信すること（たとえば、データの第２の部分、指示フレームおよび／あるいは１つまたは複数のブロック肯定応答フレームを送信し、ＭＣＳを受信すること）が可能になり得る。通信ブロック／モジュール２１８により、基地局２１０ａは、送信されるべきデータを取得することも可能になり得る。たとえば、通信ブロック／モジュール２１８により、基地局２１０ａは、基地局２１０ａに接続されたネットワークからデータを受信することが可能になり得る。
【００３９】
[0053]基地局２１０ａは、１つまたは複数のリンク２２０を介して１つまたは複数の他のデバイスと通信し得る。たとえば、１つまたは複数のリンク２２０は、ワイヤレス通信デバイス１０２と通信するための、支援する基地局１１０ｂおよび／あるいは１つまたは複数の空間ストリーム１０６ａ〜ｂへのリンク１１４を含み得る。１つまたは複数のリンク２２０はまた、基地局２１０ａと送信されるべきデータのソースとの間の通信媒体を与え得る。たとえば、基地局２１０ａは、ワイヤレスおよび／またはワイヤードリンク２２０を介してデータソースからデータを受信し得る。
【００４０】
[0054]図３は、マルチソースＭＩＭＯ通信を適用するためのシステムおよび方法が実装され得る支援する基地局３１０ｂのより具体的な構成を示すブロック図である。支援する基地局３１０ｂは、図１に関して説明した支援する基地局１１０ｂの一例であり得る。支援する基地局３１０ｂは、図１に関して説明した対応する要素の例であり得るマルチソースＭＩＭＯ通信ブロック／モジュールＢ  ３１２ｂ、１つまたは複数のアンテナ３０８ｎ〜ｚ、通信ブロック／モジュール３１８および／あるいは１つまたは複数のリンク３２０を含み得る。
【００４１】
[0055]いくつかの実装形態では、マルチソースＭＩＭＯ通信ブロック／モジュールＢ  ３１２ｂは、指示フレームリーダー３２２を含み得る。指示フレームリーダー３２２は、指示フレーム中に含まれている情報を読み取り得る。たとえば、指示フレームリーダー３２２は、データの一部分を受信すべきワイヤレス通信デバイス１０２を識別し得る。たとえば、指示フレームリーダー３２２は、指示フレーム中に含まれ得る識別子２１４に基づいてワイヤレス通信デバイス１０２を識別し得る。この実装形態では、支援する基地局３１０ｂは、次いで、識別子２１４によって示されたワイヤレス通信デバイス１０２にデータの第２の部分を送り得る。
【００４２】
[0056]図４は、マルチソースＭＩＭＯ通信を適用するための方法４００の一構成を示す流れ図である。方法４００は、いくつかの構成では、基地局１１０ａによって実行され得る。基地局１１０ａ（たとえば、アクセスポイント）は、４０２において、ワイヤレス通信デバイス１０２（たとえば、局）に送信するためのデータを取得し得る。たとえば、基地局１１０ａは、４０２において、ネットワーク（たとえば、インターネット、ＬＡＮ、ＰＳＴＮ、セルラー電話ネットワークなど）からデータを受信することによってデータを取得し得る。送信のためのデータはマルチソースＭＩＭＯ送信についてのデータであり得る。
【００４３】
[0057]基地局１１０ａは、４０４において、支援する基地局１１０ｂにデータの第２の部分を送り得る。データの第２の部分はマルチソースＭＩＭＯ送信の一部であり得る。データの第２の部分は送信されるべきデータの全部または一部であり得る。さらに、データの第２の部分は、上記で説明したように、データの第１の部分の全部または一部を含み得、あるいはそれのいずれも含まないことがある。いくつかの実装形態では、データの第２の部分は、作成されたＭＰＤＵを含み得る。上記で説明したように、基地局１１０ａは、４０４において、いくつかの構成におけるワイヤードリンク（たとえば、電力線リンク）を介してデータの第２の部分を送り得る。たとえば、基地局１１０ａは、４０４において、電力送信のためにも使用されるワイヤード接続を介して支援する基地局１１０ｂにデータの第２の部分を送り得る。
【００４４】
[0058]基地局１１０ａは、４０６において、支援する基地局１１０ｂにワイヤレス通信デバイス１０２の識別子２１４を含む指示フレームを送り得る。いくつかの構成では、基地局１１０ａは、４０６において、基地局１１０ａが送信機会を取得するときに指示フレームを送り得る。指示フレームは、追加または代替として、特定の時間にデータの第２の部分の全部または一部を送信し始めるように支援する基地局１１０ｂに指示し得る。リンク１１４（たとえば、電力線リンク）を介して、４０４においてデータの第２の部分を送り得、４０６において指示フレームを送り得る。たとえば、基地局１１０ａは、４０６において、電力送信のためにも使用されるワイヤード接続を介して支援する基地局１１０ｂに指示フレームを送り得る。いくつかの実装形態では、基地局１１０ａは、４０６において、ワイヤレス通信デバイス１０２からの要求とは無関係に指示フレームを送り得る。
【００４５】
[0059]基地局１１０ａは、４０８において、空間ストリームの第１のセット１０６ａ上でデータの第１の部分を送信し得る。データの第１の部分はマルチソースＭＩＭＯ送信の一部であり得る。いくつかの実装形態では、データの第１の部分は送信されるべきデータの全部または一部を含み得る。データの第１の部分は、上記で説明したように、第２の部分の全部または一部を含み得、あるいはそれのいずれも含まないことがある。空間ストリームの第１のセット１０６ａは１つまたは複数の空間ストリームを含み得る。いくつかの実装形態では、方法４００のステップのうちの１つまたは複数は、進行中の送信の一部として実行され得る。４０４において第２の部分を送ることと、４０６において指示フレームを送ることと、４０８において第１の部分を送信することとが任意の順序で実行され得ることに留意されたい。追加または代替として、４０４において第２の部分を送ることと、４０６において指示フレームを送ることと、４０８において第１の部分を送信することとのうちの１つまたは複数は同時に実行され得る。
【００４６】
[0060]図５は、マルチソースＭＩＭＯ通信を適用するための方法５００の別の構成を示す流れ図である。方法５００は、支援する基地局１１０ｂによって実行され得る。支援する基地局１１０ｂ（たとえば、アクセスポイント）は、５０２において、データの第２の部分を受信し得る。データの第２の部分はマルチソースＭＩＭＯ送信の一部であり得る。たとえば、支援する基地局１１０ｂは、５０２において、基地局１１０ａからデータの第２の部分を受信し得る。
【００４７】
[0061]支援する基地局１１０ｂは、５０４において、ワイヤレス通信デバイス１０２の識別子２１４を含む指示フレームを受信し得る。いくつかの実装形態では、指示フレームはまた、（たとえば、データの第２の部分からの）送信についてのデータの識別子、ＭＣＳ情報、保留送信持続時間および／またはデータを送信すべき特定の時間を含み得る。
【００４８】
[0062]支援する基地局１１０ｂは、５０６において、空間ストリームの第２のセット１０６ｂ上でデータの第２の部分の全部または一部を送信し得る。いくつかの構成では、支援する基地局１１０ｂは、５０６において、（たとえば、データの第２の部分の全部または一部を示す）指示フレームに基づいて、データの第２の部分の全部または一部を送信し得る。いくつかの実装形態では、方法５００のステップのうちの１つまたは複数は、進行中の送信の一部として実行され得る。５０２において第２の部分を受信することと、５０４において指示フレームを受信することとが任意の順序で実行され得ることに留意されたい。追加または代替として、５０２において第２の部分を受信することと、５０４において指示フレームを受信することとのうちの１つまたは複数は同時に実行され得る。
【００４９】
[0063]図６は、マルチソースＭＩＭＯ通信を適用するためのシステムおよび方法が実装され得る基地局６１０ａのより具体的な構成を示すブロック図である。基地局６１０ａは、図１に関して説明した基地局１１０ａの一例であり得る。基地局６１０ａは、図１および図３のうちの１つまたは複数に関して説明した対応する要素の例であり得るマルチソースＭＩＭＯ通信ブロック／モジュールＡ  ６１２ａ、通信ブロック／モジュール６１８、１つまたは複数のリンク６２０および／あるいは１つまたは複数のアンテナ６０８ａ〜ｍを含み得る。さらに、マルチソースＭＩＭＯ通信ブロック／モジュールＡ  ６１２ａは、図２に関して説明した対応する要素の例であり得る識別子６１４および／または指示フレーム生成器６１６を含み得る。マルチソースＭＩＭＯ通信ブロック／モジュールＡ  ６１２ａは、マルチソースＭＩＭＯ持続時間ブロック／モジュール６２４および／またはデータ識別子６２６を含み得る。随意に、マルチソースＭＩＭＯ通信ブロック／モジュールＡ  ６１２ａは、ＭＣＳ判断ブロック／モジュール６２８を含み得る。
【００５０】
[0064]マルチソースＭＩＭＯ持続時間ブロック／モジュール６２４は、保留マルチソースＭＩＭＯ送信の持続時間を指定し得る。たとえば、マルチソースＭＩＭＯ持続時間ブロック／モジュール６２４は、マルチソースＭＩＭＯ送信を実行するためのフレームの数、マルチソースＭＩＭＯ送信に対応する１つまたは複数のフレーム番号、送信すべきデータの量、マルチソースＭＩＭＯ送信を実行すべき持続時間ならびに／あるいは送信開始時間および送信終了時間のうちの１つまたは複数を指定し得る。また別の実装形態では、マルチソースＭＩＭＯ持続時間ブロック／モジュール６２４は、マルチソースＭＩＭＯ送信を実行するためにどのフレームが使用され得るかを判断し得る。たとえば、マルチソースＭＩＭＯ持続時間ブロック／モジュール６２４は、マルチソースＭＩＭＯ送信のために特定のフレーム（またはフレームのシーケンス）が使用され得ることを示すためにデータ識別子６２６を利用し得る。
【００５１】
[0065]データ識別子６２６は、ワイヤレス通信デバイス１０２に送信されるべきデータを識別し得る。たとえば、データ識別子６２６は、データをワイヤレス通信デバイス１０２に送信されるべきデータとして識別する、データに組み込まれるヘッダを含み得る。別の例では、基地局６１０ａは、データの第１の部分と第２の部分とを判断し、それに応じてデータ識別子６２６を利用し得る。たとえば、基地局６１０ａは、データの第２の部分が、データの第１の部分と同じであるべきか、またはそれとは異なるべきかを判断し得る。特に、基地局６１０ａは、悪いチャネル状態では（たとえば、受信を改善するために空間ストリームの２つのセットの冗長性が有用であり得る場合）、空間ストリームの両方のセット上で同じデータを送ることを判断し得る。または、基地局６１０ａは、チャネル状態により、より高いスループットが可能であるとき、空間ストリームの各セット上で異なるデータを送ることを判断し得る。データ識別子６２６は、それに応じてデータの第２の部分を示し得る。いくつかの構成では、データ識別子６２６は、データの第１の部分との関係でデータの第２の部分を識別し得る。いくつかの構成では、データ識別子６２６は、（たとえば、データの第２の部分を識別する）１つまたは複数のＭＰＤＵシーケンス番号であり得る。
【００５２】
[0066]データ識別子６２６は送信されるべきデータの全部または一部を識別し得る。たとえば、基地局６１０ａは、第１のデータ識別子６２６によって送信されるべきデータのすべてを識別し得、第２のデータ識別子６２６によって送信されるべきデータの第２の部分を識別し得る。いくつかの実装形態では、データ識別子６２６は、基地局が同じデータを送信しているのか、または異なるデータを送信しているのかを識別し得る。たとえば、基地局６１０ａが空間ストリームの両方のセット上で同じデータを送る場合、データ識別子６２６はそのように指示し得る。それと比較して、基地局６１０ａが空間ストリーム上で異なるデータを送ることを判断する場合、データ識別子６２６はそのように指示し得る。
【００５３】
[0067]ＭＣＳ判断ブロック／モジュール６２８は、支援する基地局１１０ｂおよび／または基地局６１０ａのためのＭＣＳを判断し得る。いくつかの構成では、基地局６１０ａ（たとえば、メインアクセスポイント）は、支援する基地局１１０ｂ（たとえば、支援するアクセスポイント）のＭＣＳを、受信したブロック肯定応答フレームに基づくものとすることができる。たとえば、基地局６１０ａ（たとえば、メインアクセスポイント）によって送られるＭＰＤＵのシーケンス番号は、基地局６１０ａ（たとえば、メインアクセスポイント）におけるＭＣＳ選択に結び付き、支援する基地局１１０ｂ（たとえば、支援するアクセスポイント）によって送られるＭＰＤＵのシーケンス番号は、支援する基地局１１０ｂ（たとえば、支援するアクセスポイント）のためのＭＣＳ選択に結び付く。たとえば、ＭＣＳ判断ブロック／モジュール６２８は、１つまたは複数の受信したブロック肯定応答フレームに基づいてＭＣＳを判断し得、基地局６１０ａのためのＭＣＳは、基地局６１０ａによって送られたＭＰＤＵのシーケンス番号に基づいて判断され得、支援する基地局１１０ｂのためのＭＣＳは、支援する基地局１１０ｂによって送られたＭＰＤＵのシーケンス番号に基づいて判断され得る。いくつかの実装形態では、基地局６１０ａは、１つまたは複数のＭＰＤＵシーケンス番号を送るかまたは示すことによって、支援する基地局１１０ｂのためのＭＣＳを暗黙的に示し得る。言い換えれば、基地局６１０ａは、支援する基地局１１０ｂに（１つまたは複数の）ＭＤＰＵシーケンス番号を送り得る。支援する基地局１１０ｂは、次いで、受信したＭＰＤＵシーケンス番号に基づいてデータを送信するためのＭＣＳを判断し得る。
【００５４】
[0068]いくつかの構成では、ブロック肯定応答の数が良好なチャネルを暗示する場合、基地局６１０ａは、ＭＣＳインデックス（たとえば、変調次数および／またはコーディングレート）を維持し、および／または増加させ得る。しかしながら、ブロック肯定応答の数が高い誤り率を暗示する場合、基地局６１０ａは、ＭＣＳインデックスを減少させ得る。基地局６１０ａは、ＭＣＳの支援する基地局１１０ｂを通知し得る。たとえば、基地局６１０ａは、１つまたは複数のリンク６２０を介してＭＣＳを示すメッセージを送り得る。このメッセージは、指示フレームの一部であることもそれの一部でないこともある。基地局６１０ａが支援する基地局１１０ｂに適用するように指示するＭＣＳは、（１つまたは複数の）空間ストリームの第１のセット６０６ａのために利用されるのと同じＭＣＳであることも同じＭＣＳでないこともある。
【００５５】
[0069]いくつかの構成では、基地局６１０ａは、受信したＭＣＳに基づいて支援する基地局１１０ｂのＭＣＳを判断し得る。たとえば、基地局６１０ａは、ワイヤレス通信デバイス１０２に送信するための、支援する基地局１１０ｂが適用しているか、または適用することを予期するＭＣＳを受信し得る。基地局６１０ａのＭＣＳ判断ブロック／モジュール６２８は、次いで、受信したＭＣＳに基づいて支援する基地局１１０ｂのＭＣＳを判断し得る。いくつかの実装形態では、指示フレーム生成器６１６は、１つまたは複数の指示に基づいて指示フレームを生成し得る。言い換えれば、指示フレーム生成器６１６は、指示フレーム中に、識別子６１４と、（マルチソースＭＩＭＯ持続時間ブロック／モジュール６２４からの）マルチソースＭＩＭＯ持続時間と、データ識別子６２６と、（ＭＣＳ判断ブロック／モジュール６２８からの）ＭＣＳとのうちの１つまたは複数を含み得る。代替的に、基地局６１０ａは、別個のメッセージ中で支援する基地局１１０ｂにＭＣＳを送り得る。この例では、指示フレーム生成器６１６は、指示フレーム中にＭＣＳを含み得ない。
【００５６】
[0070]追加または代替として、基地局６１０ａは、ＭＣＳを暗黙的に示す１つまたは複数のＭＤＰＵシーケンス番号を含む指示フレームを送り得る。たとえば、基地局６１０ａは、ＭＣＳを判断するために（１つまたは複数の）ＭＰＤＵシーケンス番号を利用し得る支援する基地局１１０ｂに１つまたは複数のＭＰＤＵシーケンス番号を送り得る。追加または代替として、指示フレーム中の（１つまたは複数の）ＭＰＤＵシーケンス番号は、（たとえば、上記で説明したように送信されるべきデータを示す）データ識別子６２６の一例であり得る。別の例では、基地局６１０ａは、支援する基地局１１０ｂに指示フレームとは別個のＭＰＤＵシーケンス番号を送り得る。
【００５７】
[0071]図７は、マルチソースＭＩＭＯ通信を適用するためのシステムおよび方法が実装され得る支援する基地局７１０ｂのより具体的な構成を示すブロック図である。支援する基地局７１０ｂは、図１に関して説明した支援する基地局１１０ｂの一例であり得る。支援する基地局７１０ｂは、図１および図３のうちの１つまたは複数に関して説明した対応する要素の例であり得るマルチソースＭＩＭＯ通信ブロック／モジュールＢ  ７１２ｂ、通信ブロック／モジュール７１８、１つまたは複数のリンク７２０および／あるいは１つまたは複数のアンテナ７０８ｎ〜ｚを含み得る。マルチソースＭＩＭＯ通信ブロック／モジュールＢ  ７１２ｂは、指示フレームリーダー７２２および／またはＭＣＳ判断ブロック／モジュール７２８を含み得、それらのうちの１つまたは複数は、図３および図６のうちの１つまたは複数に関して説明した対応する要素の例であり得る。
【００５８】
[0072]ＭＣＳ判断ブロック／モジュール７２８は、支援する基地局７１０ｂのためのＭＣＳを判断し得る。いくつかの実装形態では、ＭＣＳ判断ブロック／モジュール７２８は、１つまたは複数のブロック肯定応答フレームに基づいてＭＣＳを判断し得る。たとえば、支援する基地局７１０ｂは、ワイヤレス通信デバイス１０２から１つまたは複数のブロック肯定応答フレームを受信し得る。追加または代替として、支援する基地局７１０ｂは、基地局１１０ａがワイヤレス通信デバイス１０２から受信した１つまたは複数のブロック肯定応答フレームを基地局１１０ａから受信し得る。これらの例では、ＭＣＳ判断ブロック／モジュール７２８は、ブロック肯定応答フレームに基づいて支援する基地局７１０ｂのためのＭＣＳを判断し得る。
【００５９】
[0073]いくつかの実装形態では、ＭＣＳ判断ブロック／モジュール７２８は、受信したＭＣＳに基づいてＭＣＳを判断し得る。たとえば、支援する基地局７１０ｂは、基地局１１０ａからワイヤレス通信デバイス１０２に送信するための使用すべきＭＣＳを受信し得る。この例では、支援する基地局７１０ｂは、通信ブロック／モジュール７１８を介してＭＣＳを受信し得る。この例では、ＭＣＳ判断ブロック／モジュール７２８は、受信したＭＣＳを適用し得る。
【００６０】
[0074]いくつかの実装形態では、ＭＣＳ判断ブロック／モジュール７２８は、通信ブロック／モジュール７１８に結合され得る。この実装形態では、支援する基地局７１０ｂは、別のデバイス、たとえば、基地局１１０ａにＭＣＳを与え得る。
【００６１】
[0075]図８は、マルチソースＭＩＭＯ通信を適用するための方法８００のより具体的な構成を示す流れ図である。方法８００は、基地局６１０ａによって実行され得る。基地局６１０ａは、８０２において、１つまたは複数のブロック肯定応答フレームを受信し得る。たとえば、基地局６１０ａは、８０２において、ワイヤレス通信デバイス１０２から１つまたは複数のブロック肯定応答フレームを受信し得る。ブロック肯定応答フレームは、ワイヤレス通信デバイス１０２がデータの受信に成功したかどうかを示し得る。いくつかの実装形態では、基地局６１０ａは、８０２において、進行中の送信または前の送信に関連する１つまたは複数のブロック肯定応答フレームを受信し得る。基地局６１０ａは、次いで、現在の送信中に受信したブロック肯定応答フレームを実装し得る。
【００６２】
[0076]いくつかの実装形態では、基地局６１０ａは、８０４において、支援する基地局１１０ｂのためのＭＣＳを判断し得る。上記で説明したように、基地局６１０ａは、８０４において、（たとえば、支援する基地局１１０ｂからの）受信したＭＣＳのうちの１つまたは複数および／または（たとえば、ワイヤレス通信デバイス１０２からの）１つまたは複数の受信したブロック肯定応答フレームに基づいて支援する基地局１１０ｂのためのＭＣＳを判断し得る。
【００６３】
[0077]基地局６１０ａは、８０６において、ワイヤレス通信デバイスに送信するためのデータを取得し得る。いくつかの実装形態では、これは、図４に関して説明したように実行され得る。
【００６４】
[0078]基地局６１０ａは、８０８において、支援する基地局１１０ｂにデータの第２の部分を送り得る。いくつかの実装形態では、これは、図４に関して説明したように実行され得る。
【００６５】
[0079]基地局６１０ａは、８１０において、データの第２の部分の全部または一部を送信することを求める要求を送り得る。いくつかの実装形態では、基地局６１０ａは、データの第２の部分を送信すべき時間を支援する基地局１１０ｂに示し得る。要求は、指示フレーム中に含まれ得る。たとえば、基地局６１０ａは、ある時間量の後にデータの第２の部分の全部または一部を送信するように支援する基地局１１０ｂに指示し得る。基地局６１０ａは、データの第２の部分の全部または一部を送信することを、支援する基地局１１０ｂに要求し得る。たとえば、基地局６１０ａは、（たとえば、スケジュールなどに従ってＴＸＯＰが生じるとき）データの第２の部分を送るように支援する基地局１１０ｂに指示する要求を送り得る。
【００６６】
[0080]基地局６１０ａは、８１２において、支援する基地局１１０ｂにワイヤレス通信デバイス１０２の識別子２１４を含む指示フレームを送り得る。たとえば、これは、図４に関して説明したように行われ得る。いくつかの実装形態では、指示フレームは１つまたは複数の受信したブロック肯定応答フレームを含み得る。代替的に、基地局６１０ａは、指示フレームとは別個のメッセージ中で１つまたは複数のブロック肯定応答フレームを送り得る。上記で説明したように、１つまたは複数のブロック肯定応答フレームは、ワイヤレス通信デバイス１０２が送信を受信したことを示し得る。いくつかの実装形態では、基地局６１０ａは、リンク１１４（たとえば、電力線リンク）を介して指示フレームを送り得る。
【００６７】
[0081]いくつかの実装形態では、指示フレームは、追加または代替として、ＭＣＳを示し得る。たとえば、基地局６１０ａは、ワイヤレス通信デバイス１０２にデータを送信するときに支援する基地局１１０ｂがどのＭＣＳを使用すべきかを支援する基地局１１０ｂに示し得る。たとえば、指示フレームは、特定のＭＣＳを明示的に示し得る。別の例では、指示フレームは、特定のＭＣＳを暗黙的に示し得る１つまたは複数のＭＰＤＵシーケンス番号を含み得る。いくつかの実装形態では、指示フレーム中に１つまたは複数のＭＰＤＵシーケンス番号を含めることが、送信されるべきデータ（たとえば、データの第２の部分）を示すための１つの手法であり得る。いくつかの構成では、基地局６１０ａは、指示フレームとは別個のメッセージ中でＭＣＳを送り得る。たとえば、基地局６１０ａは、支援する基地局１１０ｂのためのＭＣＳを示す指示フレームとは別個の１つまたは複数のＭＰＤＵシーケンス番号を送り得る。
【００６８】
[0082]基地局６１０ａは、８１４において、空間ストリームの第１のセット上でデータの第１の部分を送信し得る。たとえば、これは、図４に関して説明したように行われ得る。いくつかの実装形態では、方法８００のステップのうちの１つまたは複数は、進行中の送信の一部として実行され得る。８０８において第２の部分を送ることと、８１０において要求を送ることと、８１２において指示フレームを送ることと、８１４において第１の部分を送信することとが任意の順序で実行され得ることに留意されたい。追加または代替として、８０８において第２の部分を送ることと、８１０において要求を送ることと、８１２において指示フレームを送ることと、８１４において第１の部分を送信することとのうちの１つまたは複数は同時に実行され得る。
【００６９】
[0083]図９は、マルチソースＭＩＭＯ通信を適用するための方法９００の別のより具体的な構成を示す流れ図である。方法９００は、支援する基地局７１０ｂによって実行され得る。支援する基地局７１０ｂは、９０２において、１つまたは複数のブロック肯定応答フレームを受信し得る。たとえば、支援する基地局７１０ｂは、９０２において、ワイヤレス通信デバイス１０２から１つまたは複数のブロック肯定応答フレームを受信し得る。追加または代替として、支援する基地局７１０ｂは、９０２において、ワイヤレス通信デバイス１０２からブロック肯定応答フレームを受信した基地局１１０ａから１つまたは複数のブロック肯定応答フレームを受信し得る。
【００７０】
[0084]支援する基地局７１０ｂは、９０４において、ＭＣＳを判断し得る。上記で説明したように、支援する基地局７１０ｂは、９０４において、（たとえば、基地局１１０ａからの）受信したＭＣＳのうちの１つまたは複数および／または（たとえば、ワイヤレス通信デバイス１０２および／または基地局１１０ａからの）１つまたは複数の受信したブロック肯定応答フレームに基づいてＭＣＳを判断し得る。
【００７１】
[0085]支援する基地局７１０ｂは、９０６において、ＭＣＳを示すメッセージを随意に送り得る。たとえば、支援する基地局７１０ｂが基地局１１０ａからＭＣＳを受信しない構成では、支援する基地局７１０ｂは、９０６において、支援する基地局７１０ｂがワイヤレス通信デバイス１０２にデータを送信するためにどのＭＣＳを使用することになるか、または使用することを予期するかを示すメッセージを基地局１１０ａに送り得る。
【００７２】
[0086]支援する基地局７１０ｂは、９０８において、データの第２の部分を受信し得る。いくつかの実装形態では、これは、図５に関して説明したように行われ得る。
【００７３】
[0087]支援する基地局７１０ｂは、９１０において、ワイヤレス通信デバイス１０２の識別子２１４を含む指示フレームを受信し得る。いくつかの実装形態では、これは、図５に関して説明したように行われ得る。たとえば、指示フレームは、識別子２１４、ＭＣＳ、送信持続時間および／またはデータを送信すべき時間を含み得る。いくつかの構成では、９０４においてＭＣＳを判断することは９１０において受信した指示フレームに基づき得ることに留意されたい。
【００７４】
[0088]支援する基地局７１０ｂは、９１２において、データの第２の部分の全部または一部を送信することを求める要求を受信し得る。いくつかの実装形態では、支援する基地局７１０ｂは、データの第２の部分を送信すべき時間示すメッセージを基地局１１０ａから受信し得る。いくつかの実装形態では、要求は、指示フレーム中に含まれ得る。
【００７５】
[0089]支援する基地局７１０ｂは、９１４において、空間ストリームの第２のセット上でデータの第２の部分の全部または一部を送信し得る。いくつかの実装形態では、これは、図５に関して説明したように行われ得る。いくつかの実装形態では、方法９００のステップのうちの１つまたは複数は、進行中の送信の一部として実行され得る。９０８において第２の部分を受信することと、９１０において指示フレームを受信することと、９１２において要求を受信することとが任意の順序で実行され得ることに留意されたい。追加または代替として、９０８において第２の部分を受信することと、９１０において指示フレームを受信することと、９１２において要求を受信することとのうちの１つまたは複数は同時に実行され得る。
【００７６】
[0090]図１０は、本明細書で開示されるシステムおよび方法による、マルチソースＭＩＭＯ通信のアプリケーションによって達成され得る潜在的なスループット利得の一例を示す図である。特に、この例では、ある距離にわたって分離された基地局１０１０ａ（たとえば、第１のアクセスポイント）と支援する基地局１０１０ｂ（たとえば、第２のアクセスポイント）とを示す。実プロット線は、マルチソースＭＩＭＯが適用されないとき、基地局１０１０ａと支援する基地局１０１０ｂとに対して異なるロケーションにおいてワイヤレス通信デバイス１０２（たとえば、局）が受け得るスループット１０３０ａを示す。図示のように、ワイヤレス通信デバイス１０２のスループット１０３０ａは、ワイヤレス通信デバイス１０２が基地局１０１０ａと支援する基地局１０１０ｂとの間に位置するときに落ち込み得る。本明細書で説明するマルチソースＭＩＭＯ通信の適用例は、ワイヤレス通信デバイス１０２のスループットの落込みを低減させ得る。破プロット線は、マルチソースＭＩＭＯが適用されるとき、基地局１０１０ａと支援する基地局１０１０ｂとに対して異なるロケーションにおいてワイヤレス通信デバイス１０２（たとえば、局）が受け得るスループット１０３０ｂを示す。したがって、基地局１０１０ａと支援する基地局１０１０ｂとの間のワイヤレス通信デバイス１０２は、マルチソースＭＩＭＯが適用されないときに対してそれが適用されるとき、スループット１０３０において利得を受け得る。
【００７７】
[0091]図１１は、本明細書で開示されるマルチソースＭＩＭＯ通信のコンテキストにおける通信タイミングの一例を示す図である。特に、この例ではフレーム交換を示す。より詳細には、基地局（たとえば、基地局１１０ａまたは第１のアクセスポイント）からの指示フレーム１１０１がマルチソースＭＩＭＯ送信を開始するフレーム交換を示す。たとえば、基地局（たとえば、基地局１１０ａ）は、別の基地局（たとえば、支援する基地局１１０ｂまたは第２のアクセスポイント）に指示フレーム１１０１を送る。次いで、基地局は、マルチソースＭＩＭＯ送信を同時に送信する。たとえば、基地局１１０ａは、第１のマルチソースＭＩＭＯ送信１１０３中でデータの第１の部分を送信し得、支援する基地局１１１０ｂは、第２のマルチソースＭＩＭＯ送信１１０５中でデータの第２の部分を送信し得る。第１のマルチソースＭＩＭＯ送信は、空間ストリームの第１のセット１０６ａ上で送られ得、一方、第２のマルチソースＭＩＭＯ送信は、空間ストリームの第２のセット１０６ｂ上で送られ得る。
【００７８】
[0092]上記で説明したように、データの第２の部分は、データの第１の部分と同じであるか、またはそれとは異なり得る。たとえば、支援する基地局１１０ｂからの第２のマルチソースＭＩＭＯ送信１１０５によって搬送されるデータの第２の部分は、基地局１１０ａからの第１のマルチソースＭＩＭＯ送信１１０３によって搬送されるデータの第１の部分を含み得る。代替的に、第２のマルチソースＭＩＭＯ送信１１０５によって搬送されるデータの第２の部分は、第１のマルチソースＭＩＭＯ送信１１０３によって搬送されるデータの第１の部分とは異なり得る。次いで、ブロック肯定応答フレーム１１０７は、ワイヤレス通信デバイス１０２から送られ得る。ワイヤレス通信デバイス１０２は、基地局１１０ａおよび／または支援する基地局１１０ｂにブロック肯定応答フレーム１１０７を送り得る。一例では、基地局１１０ａおよび支援する基地局１１０ｂは、それらのそれぞれのＭＣＳ選択アルゴリズムのために受信したブロック肯定応答フレーム１１０７を使用し得る。この場合、各基地局１１０は、同じＭＡＣアドレスに「リッスン」し得る。
【００７９】
[0093]図１２は、マルチソースＭＩＭＯ通信を適用するためのシステムおよび方法が実装され得るアクセスポイント１２３２と局１２３４とのより具体的な例を示す図である。特に、図１２に示す要素は、図１に示した対応する要素の例である。詳細には、アクセスポイント１２３２ａ〜ｂは基地局１１０ａ〜ｂの例であり、局１２３４はワイヤレス通信デバイス１０２の一例であり、空間ストリームのセット１２０６ａ〜ｂは空間ストリームのセット１０６ａ〜ｂの例であり、電力線リンク１２３６はリンク１１４の一例である。
【００８０】
[0094]この例では、４つのアンテナ局１２３４が、第１のアクセスポイント１２３２ａと第２のアクセスポイント１２３２ｂとの間に位置する。第１のアクセスポイント１２３２ａは、２つの空間ストリーム１２０６ａ上でデータの第１の部分を送る。同様に、第２のアクセスポイント１２３２ｂは、２つの空間ストリーム１２０６ｂ上でデータの第２の部分を送る。この例では、アクセスポイント１２３２ａ〜ｂと局１２３４とがローカルエリアネットワーク１２９０中に含まれる。
【００８１】
[0095]この例では、アクセスポイント１２３２ａ〜ｂは、電力線リンク１２３６を通してリンクされる。たとえば、アクセスポイント１２３２ａ〜ｂは、アクセスポイント１２３２ａ〜ｂに電力を供給しもする電源コンセントを介してデータを送信および／または受信し得る。この例によれば、第１のアクセスポイント１２３２ａは、図４および図８に関して説明した方法４００および方法８００のうちの１つまたは複数を実行し得る。同様に、第２のアクセスポイント１２３２ｂは、図５および図９に関して説明した方法５００および方法９００のうちの１つまたは複数を実行し得る。
【００８２】
[0096]図１３は、ＭＩＭＯシステム１３００における送信機１３３８および受信機１３４０のブロック図である。いくつかの実装形態では、送信機１３３８は、基地局１１０ａ〜ｂ、２１０ａ、３１０ｂ、６１０ａ、７１０ｂ、１０１０ａ〜ｂおよびアクセスポイント１２３２ａ〜ｂのうちの１つまたは複数中に実装され得る。いくつかの実装形態では、受信機１３４０は、ワイヤレス通信デバイス１０２および局１２３４のうちの１つまたは複数中に実装され得る。送信機１３３８では、いくつかのデータストリームのトラフィックデータがデータソース１３４２から送信（ＴＸ）データプロセッサ１３４４に与えられる。各データストリームは、次いで、それぞれの送信アンテナ１３４６ａ〜ｔを介して送信され得る。送信（ＴＸ）データプロセッサ１３４４は、各データデータストリーム用に選択された特定のコーディング方式に基づいて、データストリームごとにトラフィックデータをフォーマットし、コーディングし、インターリーブして、コード化データを与え得る。
【００８３】
[0097]各データストリームのコード化データは、直交周波数分割多重（ＯＦＤＭ）技法を使用してパイロットデータ（たとえば、基準信号）と多重化され得る。パイロットデータは、既知の方法で処理され、チャネル応答を推定するために受信機１３４０において使用される、既知のデータパターンであり得る。次いで、各ストリームの多重化されたパイロットデータおよびコード化データは、変調シンボルを与えるために、そのデータストリーム用に選択された特定の変調方式（たとえば、２位相シフトキーイング（ＢＰＳＫ）、４位相シフトキーイング（ＱＰＳＫ）、多値位相シフトキーイング（Ｍ−ＰＳＫ）、多値直交振幅変調（Ｍ−ＱＡＭ））に基づいて変調（すなわち、シンボルマッピング）される。各データストリームのデータレート、コーディング、および変調は、プロセッサによって実行される命令によって判断され得る。
【００８４】
[0098]次いで、すべてのデータストリームの変調シンボルが送信（ＴＸ）多入力多出力（ＭＩＭＯ）プロセッサ１３４８に与えられ、送信（ＴＸ）多入力多出力（ＭＩＭＯ）プロセッサ１３４８はさらに（たとえば、ＯＦＤＭ用に）その変調シンボルを処理し得る。次いで、送信（ＴＸ）多入力多出力（ＭＩＭＯ）プロセッサ１３４８はＮＴ個の変調シンボルストリームをＮＴ個の送信機（ＴＭＴＲ）１３５０ａ〜１３５０ｔに与える。ＴＸ送信（ＴＸ）多入力多出力（ＭＩＭＯ）プロセッサ１３４８は、データストリームのシンボルと、シンボルがそこから送信されているアンテナ１３４６とにビームフォーミング重みを付与し得る。
【００８５】
[0099]各送信機１３５０は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を与え得る。送信機１３５０ａ〜１３５０ｔからのＮＴ個の変調信号は、次いで、それぞれＮＴ個のアンテナ１３４６ａ〜１３４６ｔから送信される。
【００８６】
[00100]受信機１３４０において、送信された被変調信号はＮＲ個のアンテナ１３５２ａ〜１３５２ｒによって受信され、各アンテナ１３５２からの受信信号は、それぞれの受信機（ＲＣＶＲ）１３５４ａ〜１３５４ｒに与えられる。各受信機１３５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【００８７】
[00101]ＲＸデータプロセッサ１３５６が、次いで、ＮＲ個の受信機１３５４からＮＲ個の受信シンボルストリームを受信し、特定の受信機処理技法に基づいて処理して、ＮＴ個の「検出」シンボルストリームを与える。ＲＸデータプロセッサ１３５６は、次いで、各検出シンボルストリームを復調し、デインターリーブし、復号して、データストリームのトラフィックデータを復元する。ＲＸデータプロセッサ１３５６による処理は、送信機システム１３３８におけるＴＸ  ＭＩＭＯプロセッサ１３４８およびＴＸデータプロセッサ１３４４によって実行される処理を補足するものであり得る。
【００８８】
[00102]プロセッサ１３５８は、どのプリコーディング行列を使用すべきかを定期的に判断し得る。プロセッサ１３５８は、メモリ１３６０上に情報を記憶し、メモリ１３６０から情報を取り出し得る。プロセッサ１３５８は、行列インデックス部分とランク値部分とを備える逆方向リンクメッセージを作成する。逆方向リンクメッセージは、チャネル状態情報（ＣＳＩ）と呼ばれることがある。逆方向リンクメッセージは、通信リンクおよび／または受信データストリームに関する様々なタイプの情報を備え得る。逆方向リンクメッセージは、次いで、データソース１３６４からいくつかのデータストリームのトラフィックデータをも受信するＴＸデータプロセッサ１３６２によって処理され、変調器１３６６によって変調され、送信機１３５４ａ〜１３５４ｒによって調整され、送信機１３３８に返信される。
【００８９】
[00103]送信機１３３８において、受信機からの変調信号は、アンテナ１３４６によって受信され、受信機１３５０によって調整され、復調器１３６８によって復調され、受信機システム１３４０によって送信された逆方向リンクメッセージを抽出するためにＲＸデータプロセッサ１３７０によって処理される。プロセッサ１３７２は、ＲＸデータプロセッサ１３７０からチャネル状態情報（ＣＳＩ）を受信し得る。プロセッサ１３７２は、メモリ１３７４上に情報を記憶し、メモリ１３７４から情報を取り出し得る。次いで、プロセッサ１３７２は、ビームフォーミング重みを決定するためにどのプリコーディング行列を使用すべきかを決定し、抽出されたメッセージを処理する。
【００９０】
[00104]図１４に、基地局１４１０内に含まれ得るいくつかの構成要素を示す。いくつかの構成では、本明細書で説明する基地局およびアクセスポイントのうちの１つまたは複数は、図１４に示す基地局１４１０に従って実装され得る。
【００９１】
[00105]基地局１４１０はプロセッサ１４７６を含む。プロセッサ１４７６は、汎用のシングルチップまたはマルチチップのマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１４７６は中央処理ユニット（ＣＰＵ）と呼ばれることがある。図１４の基地局１４１０には単一のプロセッサ１４７６のみが示されているが、代替構成では、プロセッサ１４７６の組合せ（たとえば、ＡＲＭとＤＳＰ）が使用され得る。
【００９２】
[00106]基地局１４１０はまた、プロセッサ１４７６と電子通信しているメモリ１４７８を含む（たとえば、プロセッサ１４７６は、メモリ１４７８から情報を読み取り、および／またはメモリ１４７８に情報を書き込むことができる）。メモリ１４７８は、電子情報を記憶することが可能な任意の電子的構成要素であり得る。メモリ１４７８は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ１４７６とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ（登録商標））、レジスタなど、およびそれらの組合せであり得る。
【００９３】
[00107]データ１４８０ａおよび命令１４８２ａはメモリ１４７８に記憶され得る。命令１４８２ａは、１つまたは複数のプログラム、ルーチン、サブルーチン、関数、プロシージャ、コードなどを含み得る。命令１４８２ａは、単一のコンピュータ可読ステートメントまたは多くのコンピュータ可読ステートメントを含み得る。命令１４８２ａは、本明細書で説明した方法４００、５００、８００、９００または機能のうちの１つまたは複数を実装するために、プロセッサ１４７６によって実行可能であり得る。命令１４８２ａを実行することは、メモリ１４７８に記憶されたデータ１４８０ａの使用を含み得る。図１４に、プロセッサ１４７６にロードされている（メモリ１４７８中の命令１４８２ａおよびデータ１４８０ａから来ることがある）いくつかの命令１４８２ｂおよびデータ１４８０ｂを示す。
【００９４】
[00108]基地局１４１０はまた、基地局１４１０と遠隔ロケーション（たとえば、別のワイヤレス通信デバイスなど）との間の信号の送信および受信を可能にするために、送信機１４８４と受信機１４８６とを含み得る。送信機１４８４と受信機１４８６とはトランシーバ１４８８と総称されることがある。アンテナ１４９０はトランシーバ１４８８に電気的に結合され得る。基地局１４１０はまた、複数の送信機１４８４、複数の受信機１４８６、複数のトランシーバ１４８８および／または複数のアンテナ１４９０（図示せず）を含み得る。
【００９５】
[00109]基地局１４１０の様々な構成要素は、電力バス、制御信号バス、ステータス信号バス、データバスなどを含み得る、１つまたは複数のバスによって互いに結合され得る。簡単のために、図１４では様々なバスはバスシステム１４９２として示してある。
【００９６】
[00110]図１５に、ワイヤレス通信デバイス１５０２内に含まれ得るいくつかの構成要素を示す。いくつかの構成では、本明細書で説明するワイヤレス通信デバイスおよび局のうちの１つまたは複数は、図１５に示すワイヤレス通信デバイス１５０２に従って実装され得る。
【００９７】
[00111]ワイヤレス通信デバイス１５０２はプロセッサ１５７６を含む。プロセッサ１５７６は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１５７６は中央処理ユニット（ＣＰＵ）と呼ばれることがある。図１５のワイヤレス通信デバイス１５０２には単一のプロセッサ１５７６のみを示しているが、代替構成では、プロセッサ１５７６（たとえば、ＡＲＭとＤＳＰ）の組合せが使用され得る。
【００９８】
[00112]ワイヤレス通信デバイス１５０２はまた、プロセッサ１５７６と電子通信しているメモリ１５７８を含む（たとえば、プロセッサ１５７６は、メモリ１５７８から情報を読み取り、および／またはメモリ１５７８に情報を書き込むことができる）。メモリ１５７８は、電子情報を記憶することが可能な任意の電子的構成要素であり得る。メモリ１５７８は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ１５７６とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【００９９】
[00113]データ１５８０ａおよび命令１５８２ａはメモリ１５７８に記憶され得る。命令１５８２ａは、１つまたは複数のプログラム、ルーチン、サブルーチン、関数、プロシージャ、コードなどを含み得る。命令１５８２ａは、単一のコンピュータ可読ステートメントまたは多くのコンピュータ可読ステートメントを含み得る。命令１５８２ａは、本明細書で説明した方法または機能のうちの１つまたは複数を実装するために、プロセッサ１５７６によって実行可能であり得る。命令１５８２ａを実行することは、メモリ１５７８に記憶されたデータ１５８０ａの使用を含み得る。図１５に、プロセッサ１５７６にロードされている（メモリ１５７８中の命令１５８２ａおよびデータ１５８０ａから来ることがある）いくつかの命令１５８２ｂおよびデータ１５８０ｂを示す。
【０１００】
[00114]ワイヤレス通信デバイス１５０２はまた、ワイヤレス通信デバイス１５０２と遠隔の位置（たとえば、別のワイヤレス通信デバイスなど）との間で信号の送信および受信を可能にするために、送信機１５８４と受信機１５８６とを含み得る。送信機１５８４と受信機１５８６とはトランシーバ１５８８と総称されることがある。アンテナ１５９０はトランシーバ１５８８に電気的に結合され得る。ワイヤレス通信デバイス１５０２はまた、複数の送信機１５８４、複数の受信機１５８６、複数のトランシーバ１５８８、および／または複数のアンテナ１５９０（図示せず）を含み得る。
【０１０１】
[00115]ワイヤレス通信デバイス１５０２の様々な構成要素は、電力バス、制御信号バス、ステータス信号バス、データバスなどを含み得る、１つまたは複数のバスによって互いに結合され得る。簡単のために、図１５では様々なバスはバスシステム１５９２として示してある。
【０１０２】
[00116]上記の説明では、様々な用語とともに参照番号を時々使用した。用語が参照番号とともに使用されている場合、これは、図のうちの１つまたは複数に示された特定の要素を指すものとされ得る。用語が参照番号なしに使用されている場合、これは、概して特定の図に限定されない用語を指すものとされ得る。
【０１０３】
[00117]「判断」という用語は、多種多様なアクションを包含し、したがって、「判断」は、計算、算出、処理、導出、調査、ルックアップ（たとえば、テーブル、データベースまたは別のデータ構造でのルックアップ）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【０１０４】
[00118]「に基づいて」という句は、別段に明記されていない限り、「のみに基づいて」を意味しない。言い換えれば、「に基づいて」という句は、「のみに基づいて」と「に少なくとも基づいて」の両方を表す。
【０１０５】
[00119]「結合する」という用語およびそれの変形は、要素間の直接または間接接続を示し得る。たとえば、第２の要素に結合された第１の要素は、第２の要素に直接接続されるか、または別の要素を通して第２の要素に間接的に接続され得る。
【０１０６】
[00120]本明細書で説明した機能は、１つまたは複数の命令としてプロセッサ可読媒体またはコンピュータ可読媒体上に記憶され得る。「コンピュータ可読媒体」という用語は、コンピュータまたはプロセッサによってアクセスされ得る任意の利用可能な媒体を指す。限定ではなく、例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータまたはプロセッサによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１０７】
[00121]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１０８】
[00122]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【０１０９】
[00123]特許請求の範囲は、上記に示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に、本願出願の当初の特許請求の範囲に記載された発明を付記する。
［Ｃ１］  基地局によってマルチソース多入力多出力通信を適用するための方法であって、
ワイヤレス通信デバイスに送信するためのデータを取得することと、
支援する基地局に前記データの第２の部分を送ることと、
前記支援する基地局に前記ワイヤレス通信デバイスの識別子を含む指示フレームを送ることと、
空間ストリームの第１のセット上で前記データの第１の部分を送信することと
を備える、方法。
［Ｃ２］  前記指示フレームが、送信されるべきデータの識別子を備える、Ｃ１に記載の方法。
［Ｃ３］  前記指示フレームが、保留マルチソース多入力多出力送信の持続時間を指定する、Ｃ１に記載の方法。
［Ｃ４］  前記支援する基地局のための変調およびコーディング方式を判断することをさらに備える、Ｃ１に記載の方法。
［Ｃ５］  前記データの前記第２の部分と前記指示フレームとが、ワイヤードリンクを介して前記支援する基地局に送られる、Ｃ１に記載の方法。
［Ｃ６］  前記データの前記第２の部分と前記指示フレームとが、電力線リンクを介して前記支援する基地局に送られる、Ｃ１に記載の方法。
［Ｃ７］  前記データの前記第２の部分の全部または一部を送信することを求める要求を送ることをさらに備える、Ｃ１に記載の方法。
［Ｃ８］  前記インジケータフレームが、ユニキャストフレームとブロードキャストフレームとからなるグループから選択される、Ｃ１に記載の方法。
［Ｃ９］  基地局によってマルチソース多入力多出力通信を適用するための方法であって、
マルチソース多入力多出力送信の一部であるデータの第２の部分を受信することと、
ワイヤレス通信デバイスの識別子を備える指示フレームを受信することと、
空間ストリームの第２のセット上で前記データの前記第２の部分の全部または一部を送信することと
を備える、方法。
［Ｃ１０］  前記指示フレームが、送信されるべきデータの識別子を備える、Ｃ９に記載の方法。
［Ｃ１１］  前記指示フレームが、保留マルチソース多入力多出力送信の持続時間を指定する、Ｃ９に記載の方法。
［Ｃ１２］  変調およびコーディング方式を判断することをさらに備える、Ｃ９に記載の方法。
［Ｃ１３］  前記データの前記第２の部分と前記指示フレームとが、ワイヤードリンクを介して受信される、Ｃ９に記載の方法。
［Ｃ１４］  前記データの前記第２の部分と前記指示フレームとが、電力線リンクを介して受信される、Ｃ９に記載の方法。
［Ｃ１５］  前記データの前記第２の部分の全部または一部を送信することを求める要求を受信することをさらに備える、Ｃ９に記載の方法。
［Ｃ１６］  マルチソース多入力多出力通信を適用するための基地局であって、
ワイヤレス通信デバイスに送信するためのデータを取得することと、支援する基地局に前記データの第２の部分を送ることと、前記支援する基地局に前記ワイヤレス通信デバイスの識別子を備える指示フレームを送ることと、空間ストリームの第１のセット上で前記データの第１の部分を送信することとを行うマルチソース多入力多出力通信回路
を備える、基地局。
［Ｃ１７］  前記指示フレームが、送信されるべきデータの識別子を備える、Ｃ１６に記載の基地局。
［Ｃ１８］  前記指示フレームが、保留マルチソース多入力多出力送信の持続時間を指定する、Ｃ１６に記載の基地局。
［Ｃ１９］  前記マルチソース多入力多出力通信回路が、前記支援する基地局のための変調およびコーディング方式を判断する、Ｃ１６に記載の基地局。
［Ｃ２０］  前記データの前記第２の部分と前記指示フレームとが、ワイヤードリンクを介して前記支援する基地局に送られる、Ｃ１６に記載の基地局。
［Ｃ２１］  前記データの前記第２の部分と前記指示フレームとが、電力線リンクを介して前記支援する基地局に送られる、Ｃ１６に記載の基地局。
［Ｃ２２］  前記マルチソース多入力多出力通信回路が、前記データの前記第２の部分の全部または一部を送信することを求める要求を送る、Ｃ１６に記載の基地局。
［Ｃ２３］  前記インジケータフレームが、ユニキャストフレームとブロードキャストフレームとからなるグループから選択される、Ｃ１６に記載の基地局。
［Ｃ２４］  マルチソース多入力多出力通信を適用するための基地局であって、
マルチソース多入力多出力送信の一部であるデータの第２の部分を受信することと、ワイヤレス通信デバイスの識別子を備える指示フレームを受信することと、空間ストリームの第２のセット上で前記データの前記第２の部分の全部または一部を送信することとを行うマルチソース多入力多出力通信回路
を備える、基地局。
［Ｃ２５］  前記指示フレームが、送信されるべきデータの識別子を備える、Ｃ２４に記載の基地局。
［Ｃ２６］  前記指示フレームが、保留マルチソース多入力多出力送信の持続時間を指定する、Ｃ２４に記載の基地局。
［Ｃ２７］  前記マルチソース多入力多出力通信回路が、変調およびコーディング方式を判断する、Ｃ２４に記載の基地局。
［Ｃ２８］  前記データの前記少なくとも一部分と前記指示フレームとが、ワイヤードリンクを介して受信される、Ｃ２４に記載の基地局。
［Ｃ２９］  前記データの前記第２の部分と前記指示フレームとが、電力線リンクを介して受信される、Ｃ２４に記載の基地局。
［Ｃ３０］  前記マルチソース多入力多出力通信回路が、前記データの前記第２の部分の全部または一部を送信することを求める要求を受信する、Ｃ２４に記載の基地局。
［Ｃ３１］  命令を有する非一時的有形コンピュータ可読媒体を備える、マルチソース多入力多出力通信を適用するためのコンピュータプログラム製品であって、前記命令が、
基地局に、ワイヤレス通信デバイスに送信するためのデータを取得させるためのコードと、
前記基地局に、支援する基地局に前記データの第２の部分を送らせるためのコードと、
前記基地局に、前記支援する基地局に前記ワイヤレス通信デバイスの識別子を備える指示フレームを送らせるためのコードと、
前記基地局に、空間ストリームの第１のセット上で前記データの第１の部分を送信させるためのコードと
を備える、コンピュータプログラム製品。
［Ｃ３２］  前記指示フレームが、保留マルチソース多入力多出力送信の持続時間を指定する、Ｃ３１に記載のコンピュータプログラム製品。
［Ｃ３３］  前記命令が、前記基地局に、前記支援する基地局のための変調およびコーディング方式を判断させるためのコードをさらに備える、Ｃ３１に記載のコンピュータプログラム製品。
［Ｃ３４］  前記命令が、前記基地局に、前記データの前記第２の部分の全部または一部を送信することを求める要求を送らせるためのコードをさらに備える、Ｃ３１に記載のコンピュータプログラム製品。
［Ｃ３５］  前記インジケータフレームが、ユニキャストフレームとブロードキャストフレームとからなるグループから選択される、Ｃ３１に記載のコンピュータプログラム製品。
［Ｃ３６］  命令を有する非一時的有形コンピュータ可読媒体を備える、マルチソース多入力多出力通信を適用するためのコンピュータプログラム製品であって、前記命令が、
基地局に、マルチソース多入力多出力送信の一部であるデータの第２の部分を受信させるためのコードと、
前記基地局に、ワイヤレス通信デバイスの識別子を備える指示フレームを受信させるためのコードと、
前記基地局に、空間ストリームの第２のセット上で前記データの前記第２の部分の全部または一部を送信させるためのコードと
を備える、コンピュータプログラム製品。
［Ｃ３７］  前記指示フレームが、保留マルチソース多入力多出力送信の持続時間を指定する、Ｃ３６に記載のコンピュータプログラム製品。
［Ｃ３８］  前記命令が、前記基地局に、変調およびコーディング方式を判断させるためのコードをさらに備える、Ｃ３６に記載のコンピュータプログラム製品。
［Ｃ３９］  前記命令が、前記基地局に、前記データの前記第２の部分の全部または一部を送信することを求める要求を受信させるためのコードをさらに備える、Ｃ３６に記載のコンピュータプログラム製品。
［Ｃ４０］  マルチソース多入力多出力通信を適用するための装置であって、
ワイヤレス通信デバイスに送信するためのデータを取得するための手段と、
支援する基地局に前記データの第２の部分を送るための手段と、
前記支援する基地局に前記ワイヤレス通信デバイスの識別子を備える指示フレームを送るための手段と、
空間ストリームの第１のセット上で前記データの第１の部分を送信するための手段と
を備える、装置。
［Ｃ４１］  前記指示フレームが、保留マルチソース多入力多出力送信の持続時間を指定する、Ｃ４０に記載の装置。
［Ｃ４２］  前記支援する基地局のための変調およびコーディング方式を判断するための手段をさらに備える、Ｃ４０に記載の装置。
［Ｃ４３］  前記データの前記第２の部分の全部または一部を送信することを求める要求を送るための手段をさらに備える、Ｃ４０に記載の装置。
［Ｃ４４］  前記インジケータフレームが、ユニキャストフレームとブロードキャストフレームとからなるグループから選択される、Ｃ４０に記載の装置。
［Ｃ４５］  マルチソース多入力多出力通信を適用するための装置であって、
マルチソース多入力多出力送信の一部であるデータの第２の部分を受信するための手段と、
前記ワイヤレス通信デバイスの識別子を備える指示フレームを受信するための手段と、
空間ストリームの第２のセット上で前記データの前記第２の部分の全部または一部を送信するための手段と
を備える、装置。
［Ｃ４６］  前記指示フレームが、保留マルチソース多入力多出力送信の持続時間を指定する、Ｃ４５に記載の装置。
［Ｃ４７］  変調およびコーディング方式を判断するための手段をさらに備える、Ｃ４５に記載の装置。
［Ｃ４８］  前記データの前記第２の部分の全部または一部を送信することを求める要求を受信するための手段をさらに備える、Ｃ４５に記載の装置。
【図１】
0005976847.tif 000002
【図２】
0005976847.tif 000003
【図３】
0005976847.tif 000004
【図４】
0005976847.tif 000005
【図５】
0005976847.tif 000006
【図６】
0005976847.tif 000007
【図７】
0005976847.tif 000008
【図８】
0005976847.tif 000009
【図９】
0005976847.tif 000010
【図１０】
0005976847.tif 000011
【図１１】
0005976847.tif 000012
【図１２】
0005976847.tif 000013
【図１３】
0005976847.tif 000014
【図１４】
0005976847.tif 000015
【図１５】
0005976847.tif 000016